(57)【要約】【課題】装置の小型化が可能で、不要となった非接触式ＩＣカードの取り出しも容易に行えるカード発行装置を提供する。【解決手段】未使用のＩＣカードが積層して収容されるカードストッカ部１２と、カードストッカ部１２に隣接して配置され、カードストッカ部１２から送り込まれたＩＣカード、もしくは投入・排出口２７から投入されたＩＣカードに非接触でデータを読み書きするリーダー・ライター部１４と、リーダー・ライター部１４内のカードストッカ部１２に近接する部位に回動自在に設けられ、カードストッカ部１２から送り出されるＩＣカードの通過は許容し、リーダー・ライター部１４からカードストッカ部１２へのＩＣカードの通過は遮断する切り替えプレート４３と、リーダー・ライター部１４の直下に配置され、投入・排出口２７から投入され、リーダー・ライター部１４によりデータを読み込まれて不要とされ、落下されるＩＣカードを回収する回収部１６とを具備する。【選択図】図１
2015169982.tif 000002
【特許請求の範囲】
【請求項１】
未使用のＩＣカードが積層して収容されるカードストッカ部と、
該カードストッカ部からＩＣカードを１枚ずつ送り出す送り出し機構と、
前記カードストッカ部に隣接して配置され、前記カードストッカ部から送り込まれたＩＣカード、もしくは投入・排出口から投入されたＩＣカードに非接触でデータを読み書きするリーダー・ライター部と、
前記送り出し機構から送り込まれたＩＣカードを前記リーダー・ライター部に取り込み、前記投入・排出口から排出すると共に、前記投入・排出口から投入されたＩＣカードを前記リーダー・ライター部に搬入もしくは該ＩＣカードを前記投入・排出口に排出するカード搬送機構と、
前記リーダー・ライター部内の前記カードストッカ部に近接する部位に回動自在に設けられ、前記カードストッカ部から送り出されるＩＣカードの通過は許容し、前記リーダー・ライター部から前記カードストッカ部へのＩＣカードの通過は遮断する切り替えプレートと、
前記リーダー・ライター部の直下に配置され、前記投入・排出口から投入され、前記リーダー・ライター部によりデータを読み込まれて不要とされ、落下されるＩＣカードを回収する回収部と、
前記投入・排出口から投入され、前記リーダー・ライター部によりデータを読み込まれて不要とされた場合に、前記カード搬送機構を駆動制御し、該ＩＣカードを前記カードストッカ部方向に搬送し、前記切り替えプレートに当接させて前記回収部に向けて落下させる制御を含む制御を行う制御部とを具備することを特徴とするカード発行装置。
【請求項２】
前記カード搬送機構は、
前記リーダー・ライター部の前記カードストッカ部に近接する部位に設けられた第１のローラ装置と、前記投入・排出口に近接する部位にそれぞれ設けられた第２のローラ装置を含むことを特徴とする請求項１記載のカード発行装置。
【請求項３】
前記第１のローラ装置は、前記送り出し機構によって送り込まれたＩＣカードをさらに前記リーダー・ライター部に引きこむことを特徴とする請求項２記載のカード発行装置。
【請求項４】
前記第２のローラ装置は、前記第１のローラ装置によって前記リーダー・ライター部に取り込まれたＩＣカードを前記投入・排出口に排出すると共に、前記投入・排出口から投入されたＩＣカードを、前記リーダー・ライター部に搬入し、もしくは該ＩＣカードを前記投入・排出口に排出することを特徴とする請求項２または３記載のカード発行装置。
【請求項５】
前記投入・排出口から投入されたＩＣカードは、前記切り替えプレートおよび前記第１のローラ装置には至らない位置で、前記第２のローラ装置により片持ち支持された状態でデータの読み書きが行われることを特徴とする請求項２〜４いずれか１項記載のカード発行装置。
【請求項６】
前記切り替えプレートは、前記第１のローラ装置および前記第２のローラ装置との間に配設され、ＩＣカードが不要とされた場合に、該不要とされたＩＣカードが前記第１のローラ装置に至らず、前記切り替えプレートに当接し、ガイドされて下方に落下することを特徴とする請求項２〜５いずれか１項記載のカード発行装置。
【請求項７】
前記第１のローラ装置と第２のローラ装置との間のＩＣカードの存否を検出する第１のセンサを具備することを特徴とする請求項２〜６いずれか１項記載のカード発行装置。
【請求項８】
前記第１のセンサが、発光部からの光の進路を曲げて受光部に受光させるプリズムを有する回帰型透過センサであることを特徴とする請求項７記載のカード発行装置。
【請求項９】
前記第１のローラ装置の近傍に、前記リーダー・ライター部にＩＣカードが送り込まれたかを検出する第２のセンサが配設されていることを特徴とする請求項７または８記載のカード発行装置。
【請求項１０】
前記第２のローラ装置の近傍に、前記リーダー・ライター部に搬入されたＩＣカードの先端部を検出する第３のセンサが配設されていることを特徴とする請求項７〜９いずれか１項記載のカード発行装置。
【発明の詳細な説明】
【技術分野】
【０００１】
本発明はカード発行装置に関する。
【背景技術】
【０００２】
プリペイドカードには、磁気カード、接触式あるいは非接触式ＩＣカードなど、種々のものがある。
これらプリペイドカードの発行装置は、新規なカードを発行する場合には、投入した金額のデータをリーダー・ライターにより書き込んで、新規なカードを発券するようにしている。一方、使用中のカードの場合、残額が少なくなった場合やゼロになった場合には、当該カードをカード発行装置の投入口から投入し、新たに投入した金額をリーダー・ライターにより再度書き込んで更新、再使用できるようにしている。
また、複数回更新したカードは、汚染等され、データの読み書きが良好に行えなくなる恐れがあるので、更新した回数を読み込んで、更新回数が所定回数を超えた場合には、当該カードを回収し、新規カードを発行するようにしている（特許文献１、特許文献２）。
【先行技術文献】
【特許文献】
【０００３】
【特許文献１】特開平４−４２３９０
【特許文献２】特開２００８−１６５４８３
【発明の概要】
【発明が解決しようとする課題】
【０００４】
特許文献１および特許文献２のカード発行装置は、未使用の新規カードを収容するカードストッカ部と、該カードストッカ部に隣接してリーダー・ライター部を設け、またカードストッカ部の直下に不要となったカードを回収する回収部を設けている。そして、カードストッカ部および回収部とリーダー・ライター部との間に、リーダー・ライター部から返送される不要となったカードを回収部へと振り分け、落下させる板ばね等からなるガイド部を設けている。
しかしながら、特許文献１および２はいずれも、このようなガイド部をカードストッカ部および回収部とリーダー・ライター部との間に配設しているため、全長が長くなり、装置が大型化するという課題がある。
また、投入・排出口を有するリーダー・ライター部が使用者側（前側）に存在し、回収部は奥側に存在することとなるので、回収部に落下された不要となったカードを取り出す作業をしにくいという課題もある。
また、特許文献１のものでは、不要となったカードを回収する場合に、カードをガイド部に当接させて撓ませながら回収しているが、比較的厚めで、撓みにくい非接触ＩＣカードには不向きである。
【０００５】
そこで、本発明は上記課題を解決すべくなされたもので、その目的とするところは、装置の小型化が可能で、不要となった非接触式ＩＣカードの取り出しも容易に行えるカード発行装置を提供することにある。
【課題を解決するための手段】
【０００６】
本発明に係るカード発行装置は、未使用のＩＣカードが積層して収容されるカードストッカ部と、該カードストッカ部からＩＣカードを１枚ずつ送り出す送り出し機構と、前記カードストッカ部に隣接して配置され、前記カードストッカ部から送り込まれたＩＣカード、もしくは投入・排出口から投入されたＩＣカードに非接触でデータを読み書きするリーダー・ライター部と、前記送り出し機構から送り込まれたＩＣカードを前記リーダー・ライター部に取り込み、前記投入・排出口から排出すると共に、前記投入・排出口から投入されたＩＣカードを前記リーダー・ライター部に搬入もしくは該ＩＣカードを前記投入・排出口に排出するカード搬送機構と、前記リーダー・ライター部内の前記カードストッカ部に近接する部位に回動自在に設けられ、前記カードストッカ部から送り出されるＩＣカードの通過は許容し、前記リーダー・ライター部から前記カードストッカ部へのＩＣカードの通過は遮断する切り替えプレートと、前記リーダー・ライター部の直下に配置され、前記投入・排出口から投入され、前記リーダー・ライター部によりデータを読み込まれて不要とされ、落下されるＩＣカードを回収する回収部と、前記投入・排出口から投入され、前記リーダー・ライター部によりデータを読み込まれて不要とされた場合に、前記カード搬送機構を駆動制御し、該ＩＣカードを前記カードストッカ部方向に搬送し、前記切り替えプレートに当接させて前記回収部に向けて落下させる制御を含む制御を行う制御部とを具備することを特徴とするカード発行装置。
【０００７】
前記カード搬送機構は、前記リーダー・ライター部の前記カードストッカ部に近接する部位に設けられた第１のローラ装置と、前記投入・排出口に近接する部位にそれぞれ設けられた第２のローラ装置を含むことを特徴とする。
前記第１のローラ装置は、前記送り出し機構によって送り込まれたＩＣカードをさらに前記リーダー・ライター部に引きこむことを特徴とする。
また、前記第２のローラ装置は、前記第１のローラ装置によって前記リーダー・ライター部に取り込まれたＩＣカードを前記投入・排出口に排出すると共に、前記投入・排出口から投入されたＩＣカードを、前記リーダー・ライター部に搬入し、もしくは該ＩＣカードを前記投入・排出口に排出することを特徴とする。
【０００８】
前記投入・排出口から投入されたＩＣカードは、前記切り替えプレートおよび前記第１のローラ装置には至らない位置で、前記第２のローラ装置により片持ち支持された状態でデータの読み書きが行われるようにすると好適である。
前記切り替えプレートは、前記第１のローラ装置および前記第２のローラ装置との間に配設され、ＩＣカードが不要とされた場合に、該不要とされたＩＣカードが前記第１のローラ装置に至らず、前記切り替えプレートに当接し、ガイドされて下方に落下するようにすると好適である。
【０００９】
前記第１のローラ装置と第２のローラ装置との間のＩＣカードの存否を検出する第１のセンサを設けると好適である。
前記第１のセンサを、発光部からの光の進路を曲げて受光部に受光させるプリズムを有する回帰型透過センサとすることができる。
また、前記第１のローラ装置の近傍に、前記リーダー・ライター部にＩＣカードが送り込まれたかを検出する第２のセンサを配設すると好適である。
また、前記第２のローラ装置の近傍に、前記リーダー・ライター部に搬入されたＩＣカードの先端部を検出する第３のセンサを配設すると好適である。
【発明の効果】
【００１０】
本発明によれば、装置の小型化が可能で、不要となった非接触式ＩＣカードの取り出しも容易に行えるカード発行装置を提供できる。
【図面の簡単な説明】
【００１１】
【図１】一部を省略したカード発行装置の側面図である。
【図２】図１を簡略化した模式図である。
【図３】カード発行装置の概略的な平面図である。
【発明を実施するための形態】
【００１２】
以下本発明の好適な実施の形態を詳細に説明する。
図１は一部を省略したカード発行装置１０の側面図、図２は図１を簡略化した模式図および図３はカード発行装置の概略的な平面図である。
１２はカードストッカ部、１４はリーダー・ライター部、１６は不要となったＩＣカードを回収する回収部である。
【００１３】
続いて各部の詳細を説明する。
カードストッカ部１２は、未使用の新規なＩＣカード１７を積層して収容する部位になっている。該カードストッカ部１２から、その下方に設けたカード送り出し機構１８によって、ＩＣカード１７を最下層のカードから順次１枚ずつ、リーダー・ライター部１４に送り出す。
送り出し機構１８は、公知の機構を採用できる。本実施の形態では、送り出し機構１８は、プーリ１９、２０に掛け渡された無端ベルト２１にキッカー２２が取り付けられた構造のものが用いられている。
【００１４】
無端ベルト２１は、モータ２３によって減速ギア機構２４を介して、プーリ２０が正回転、逆回転されることによって、往復駆動される。
キッカー２２は、待機位置においては、ゲート２５の直下に位置していて、ゲート２５と無端ベルト２１との間の隙間を閉塞していて、装置の振動等によりＩＣカードが該隙間から不用意に飛び出すのを防止している。
ＩＣカード１７を送り出す際には、無端ベルト２１が駆動され、キッカー２２が最下層のＩＣカード１７から外れる位置まで後退（図１上、右方向に移動）し、これによりＩＣカードを無端ベルト２１上に落とし込み、ついで無端ベルト２１が逆方向に駆動されることにより、キッカー２２が最下層のＩＣカード１７に後方から当接し、該ＩＣカードを押圧して、ゲート２５の隙間から、リーダー・ライター部１４へ送り出すようになっている。
【００１５】
リーダー・ライター部１４は、カードストッカ部１２に隣接して配置され、カードストッカ部１２から送り込まれたＩＣカード１７、もしくは投入・排出口２７から投入されたＩＣカード１７に非接触でデータを読み書きする公知の機構が設けられている。
すなわち、リーダー・ライター部１４には、公知の発信・受信機構が搭載された基板２８が配設されている。ＩＣカード１７にはアンテナとＩＣチップが搭載されている。ＩＣカード１７がリーダー・ライター部に搬入されると、リーダー・ライター部とＩＣカード１７との間で交信され、ＩＣカード１７へのデータの読み書きが非接触で行われる。
【００１６】
リーダー・ライター部１４の下方にはカード搬送機構３０が設けられている。
該カード搬送機構３０は、送り出し機構１８から送り込まれたＩＣカード１７をリーダー・ライター部１４に取り込み、投入・排出口２７から排出すると共に、投入・排出口２７から投入された使用中のＩＣカード１７をリーダー・ライター部１４に搬入もしくは該ＩＣカード１７を投入・排出口２７に排出するものである。
具体的には、カード搬送機構３０は、リーダー・ライター部１４のカードストッカ部１２に近接する部位に設けられた第１のローラ装置３１と、投入・排出口２７に近接する部位に設けられた第２のローラ装置３２を具備する。
【００１７】
第２のローラ装置３２は駆動ローラ装置になっている。第２のローラ装置３２は、モータ３３によって減速ギア装置３４を介して回転されるシャフト３５上に設けられた搬送ローラ３６と、該搬送ローラ３６に図示しないスプリングを介して圧接される押圧ローラ３７を具備している。
第１のローラ装置３１は従動ローラ装置になっている。第１のローラ装置３１は、シャフト３８上に設けられた搬送ローラ３９と、該搬送ローラ３９に図示しないスプリングを介して圧接される押圧ローラ４０を具備している。
シャフト３５の回転はタイミングベルト４１を介してシャフト３８に伝達される。
【００１８】
搬送ローラ３６と押圧ローラ３７、および搬送ローラ３９と押圧ローラ４０は、ＩＣカード１７を両側から挟み込むことによってＩＣカード１７を搬送する。
そして、第１のローラ装置３１は、送り出し機構１８によって送り込まれたＩＣカード１７をさらにリーダー・ライター部１４に引きこむ動作をする。
また、第２のローラ装置３２は、第１のローラ装置３１によってリーダー・ライター部１４に取り込まれたＩＣカード１７を投入・排出口２７に排出する。あるいは投入・排出口２７から投入された使用中のＩＣカード１７を、リーダー・ライター部１４に搬入し、もしくは該ＩＣカード１７を投入・排出口２７に排出する動作をする。
【００１９】
次に、４３は切り替えプレートであり、リーダー・ライター部１４内のカードストッカ部１２に近接する部位にシャフト３８を中心に回動自在に設けられている。切り替えプレート４３は、スプリング４５によって、図１において時針回転方向に付勢され(図１)、カードストッカ部１２から送り出されるＩＣカード１７の通過は許容し、リーダー・ライター部１４からカードストッカ部１２へのＩＣカード１７の通過は遮断するようになっている。
【００２０】
なお、切り替えプレート４３は、第１のローラ装置３１および第２のローラ装置３２との間に配設され、リーダー・ライター部１４によりデータが読み取られて、ＩＣカード１７が不要とされた場合に、該不要とされたＩＣカード１７が第１のローラ装置３１に至らず、切り替えプレート４３に当接し、ガイドされて下方に落下するように、第１のローラ装置３１との位置関係に設定されている。
【００２１】
回収部１６は、リーダー・ライター部１４の直下に配置され、投入・排出口２７から投入され、リーダー・ライター部１４によりデータを読み込まれて、所要更新回数を超えるなどして不要と判定され、落下されるＩＣカード１７を回収するようになっている。
【００２２】
次に、４７は第１のセンサであり、前記第１のローラ装置と第２のローラ装置との間に配設され、この間におけるＩＣカード１７の存否を検出する。第１のセンサ４７は、カード搬送機構３０の下方に配置された発光部４８と受光部４９、およびカード搬送機構３９の上方に配置されたプリズム５０を含み、発光部４８で発行された光がプリズム５０によって曲げられ、受光部４９で受光される、回帰型透過センサに形成されている。発光部４８からの光がＩＣカード１７によって遮断されることで、この間でのＩＣカードの存在が検出される。
【００２３】
また、第１のローラ装置３１の近傍に、リーダー・ライター部１４にＩＣカード１７が送り込まれたかを検出する第２のセンサ５２が配設されている。
また、第２のローラ装置３２の近傍に、リーダー・ライター部１４に搬入されたＩＣカード１７の先端部を検出する第３のセンサ５３が配設されている。
これら、第１のセンサ４７、第２のセンサ５２、第３のセンサ５３を設けることにより、故障時、停電時等に、ＩＣカード１７の存在位置を確認でき、初期化等も容易に行うことができる。
なお、５５はエンプティセンサである。
【００２４】
本実施の形態は上記のように構成されている。
続いて動作について説明する。
新規ＩＣカード１７を発行する際には、図示しない紙幣投入口から所要の紙幣を投入し、発券ボタン（図示せず）を押すことによって、モータ２３が駆動され、前記したようにカードストッカ部１２から最下層のＩＣカード１７をリーダー・ライター部１４に送り込む。その際、ＩＣカード１７は、切り替えプレート４３をスプリング４５の付勢力に抗して押し下げ、切り替えプレート４３上を通過する。
【００２５】
リーダー・ライター部１４では、第２のセンサ５２によってＩＣカード１７が検出されると、モータ３３が駆動され、第２のローラ装置３２および第１のローラ装置３１が駆動され、ＩＣカード１７が、その先端が第３のセンサ５３によって検出される位置まで、リーダー・ライター部１４内に搬入される。そして、この搬入位置で、リーダー・ライター部１４により、ＩＣカード１７に、金額データを書き込み、次いで、投入・排出口２７から排出して使用者に供給する。
【００２６】
使用中のＩＣカード１７の残額が少なくなった場合やゼロになった場合には、使用者は、当該ＩＣカード１７を投入・排出口２７に投入し、また紙幣投入口に所要の紙幣を投入する。
投入・排出口２７に投入されたＩＣカード１７は、モータ３３が駆動されることによってリーダー・ライター部１４内に、ＩＣカード１７の先端部（図１において左端）が第３のセンサ５３によって検出される位置まで搬入される。その際、ＩＣカード１７の後端（右端）は、第１ローラ装置３１に至る通路を切り替えプレート４３に遮断されるため、第１ローラ装置には至らず、ＩＣカード１７はその左端にて、第２のローラ装置３２によって片持ち状態に支持される。
【００２７】
そして、このように、ＩＣカード１７が第２のローラ装置３２により片持ち支持された状態で（図１の破線参照）、リーダー・ライター部１４により、ＩＣカード１７のデータの読み書きが行われ、データの更新が行われ、データ更新後、モータ３３が逆回転され、ＩＣカード１７が投入・排出口２７に返却される。
また、リーダー・ライター部１４で、ＩＣカード１７の更新回数が所要回数を超えていると判定された場合や、所要の不具合が存在することが検出された場合には、さらにモータ３３を駆動して、ＩＣカード３３をカードストッカ部１２方向に搬送する。これにより、ＩＣカード１７は、第２のローラ装置３２から外れると共に、後端（右端）が切り替えプレート４３に当接し、ガイドされて下方に落下し、回収部１６に回収されることになる。そして、前記のように、投入された金額に応じたデータを書き込んだ新規ＩＣカード１７が発行される。
なお、上記一連の動作は、図示しない制御部によって制御されてなされる。
【００２８】
本実施の形態では、上記のように、ＩＣカード１７を第２のローラ装置３２によって片持ち支持した状態でＩＣカードの１７のデータの読み書きがなされるようになっている。このように、ＩＣカード１７が片持ち支持された状態でデータの読み書きが行えるようにしたので、切り替えプレート４３をリーダー・ライター部１４内に配設することができ、それだけ、装置の全長を短くでき、装置の小型化が図れる。
なお、ＩＣカード１７を片持ち支持した場合に、ＩＣカード１７は図１に示すように、斜めに傾斜した状態となりやすいが、ＩＣカード１７に非接触で読み書きできる、アンテナを備えるＩＣカード、およびそれに対応するリーダー・ライター部１４を用いることで、斜めに傾斜した状態でもデータの読み書きが可能となる。
【００２９】
また、この場合にあっても、ＩＣカード１７の傾斜があまりに大きくなると、データの読み書きが困難になってくるが、傾斜した場合に、ＩＣカード１７の先端（左端）を、リーダー・ライター部１４の底板に当接させるなどして、傾斜角度を規制することによって、データの読み書きが行えるようにするとよい。すなわち、リーダー・ライター部１４の底板の高さ位置をそのように設定するとよい。
また、本実施の形態では、回収部１６を、使用者（作業者）側となるリーダー・ライター部１４の直下に設けたので、すなわち、作業者の手前側となる位置に設けたので、回収部１６に落下収納された不要のＩＣカードを取り出す作業が容易に行える。
【符号の説明】
【００３０】
１０  カード発行装置、１２  カードストッカ部、１４  リーダー・ライター部、１６  回収部、１８  送り出し機構、１９  プーリ、２０  プーリ、２１  無端ベルト、２２  キッカー、２３  モータ、２４  減速ギア機構、２５  ゲート、２７  投入・排出口、２８  基板、３０  カード搬送機構、３１  第１ローラ装置、３２  第２ローラ装置、３３  モータ、３４  減速ギア装置、３５  シャフト、３６  搬送ローラ、３７  押圧ローラ、３８  シャフト、３９  搬送ローラ、４０  押圧ローラ、４１  タイミングベルト、４３  切り替えプレート、４５  スプリング、４７  第１のセンサ、４８  発光部、４９  受光部、５０  プリズム、５２  第２のセンサ、５３  第３のセンサ、５５  エンプティセンサ
【図１】
2015169982.tif 000003
【図２】
2015169982.tif 000004
【図３】
2015169982.tif 000005